(57)【要約】【課題】コンテンツ表示装置において、ユーザにとって利用しやすいコンテンツ一覧表示画面を表示する。【解決手段】ネットワークプレーヤと、コンテンツ及びコンテンツ情報が記録されているサーバとが接続されている。コンテンツ情報には、コンテンツの名称、カテゴリ、作成日付、データサイズ、及びメタデータの情報が含まれる。ネットワークプレーヤは、コンテンツ一覧画面を表示するとき、サーバからコンテンツ情報を受信し、この情報に基づいて、ファイル名が同一で（Ｓ１１）、作成日時も同一で（Ｓ１２）、サイズも同一で（Ｓ１３）、さらにメタデータに含まれる情報も同一のものを検索する（Ｓ１４）。この結果、同一のコンテンツが検索された場合、同一のコンテンツの中から１つのコンテンツのみを表示する（Ｓ１５）。【選択図】図５
2009017407.tif 000002
【特許請求の範囲】
【請求項１】
画像等のコンテンツが記録された記録媒体を有する複数のサーバとネットワークを介して接続され、
前記複数のサーバから前記コンテンツ等を受信する受信手段と、
前記コンテンツ等の表示を行うための表示手段と、
前記コンテンツ等の表示や装置各部の制御を行うための制御手段とを備えるコンテンツ表示装置において、
前記複数のサーバの記録媒体には、前記コンテンツの内容に対応したコンテンツ情報が記録されており、
前記コンテンツ表示装置は、前記コンテンツ情報の内容に基づいて、前記複数のサーバの記録媒体に記録されたコンテンツの中に同一コンテンツが存在するか否かを判断する同一コンテンツ判断手段をさらに備え、
前記受信手段は、前記コンテンツに加えて、前記コンテンツ情報を前記複数のサーバから受信し、
前記制御手段は、
前記複数のサーバの記録媒体に記録されたコンテンツの一覧画面を前記表示手段に表示するとき、前記受信手段を用いて前記コンテンツ情報を受信し、前記同一コンテンツ判断手段を用いて、前記複数のサーバの記録媒体に記録されたコンテンツの中に同一コンテンツが存在するか否かを判断し、同一コンテンツが存在すると判断した場合、同一コンテンツの中から１つのコンテンツのみをコンテンツ一覧画面に表示することを特徴とするコンテンツ表示装置。
【請求項２】
前記コンテンツ情報は、コンテンツの名称、作成日時、データサイズ、及びメタデータを含み、
前記同一コンテンツ判断手段は、
前記複数のサーバから受信した各コンテンツ情報に含まれるコンテンツの名称、作成日時、データサイズ、及びメタデータを比較することにより、前記複数のサーバの記録媒体に記録されたコンテンツの中に同一コンテンツが存在するか否かを判断することを特徴とする請求項１に記載のコンテンツ表示装置。
【発明の詳細な説明】
【技術分野】
【０００１】
本発明は、コンテンツ表示装置に関し、特にコンテンツ一覧画面を表示する技術に関する。
【背景技術】
【０００２】
従来、画像等のコンテンツが記録された複数のサーバにネットワークを介して接続されたネットワークプレーヤにおいて、各サーバに記録されているコンテンツを紹介するコンテンツ一覧画面をディスプレイに表示するものが知られている。この種のネットワークプレーヤは、コンテンツ一覧画面に、複数のサーバに記録された全てのコンテンツを表示するため、同一コンテンツをコンテンツ一覧画面に複数表示することがある。そのため、コンテンツ一覧画面から所望のコンテンツを探す際などに、使い勝手が悪いという問題がある。
【０００３】
これに対して、特許文献１には、サーバに記録されたコンテンツを紹介するコンテンツ一覧画面を生成するとき、サーバが同一コンテンツの中の１つのコンテンツ情報をネットワークプレーヤに送信するコンテンツシステムが開示されている。しかし、このシステムでは、複数のサーバが相互に通信を行うことができない場合や、サーバに記録されたコンテンツの規格に互換性が無い場合に、同一コンテンツの内容に対応するコンテンツ情報がネットワークプレーヤに送信されることがあるので、上記問題を解決できない。また、特許文献１に示される、サーバ側がコンテンツ一覧画面を生成する方法では、サーバが生成したコンテンツ一覧画面をクライアントに送る必要があるので処理が複雑になる。
【特許文献１】特開２００５−４４１０４号公報
【発明の開示】
【発明が解決しようとする課題】
【０００４】
本発明は、上記問題を解決するためになされたものであり、簡単な処理手順で、ユーザにとって利用しやすいコンテンツ一覧表示画面を表示することができるコンテンツ表示装置を提供することを目的とする。
【課題を解決するための手段】
【０００５】
上記目的を達成するために請求項１の発明は、画像等のコンテンツが記録された記録媒体を有する複数のサーバとネットワークを介して接続され、前記複数のサーバから前記コンテンツ等を受信する受信手段と、前記コンテンツ等の表示を行うための表示手段と、前記コンテンツ等の表示や装置各部の制御を行うための制御手段とを備えるコンテンツ表示装置において、前記複数のサーバの記録媒体には、前記コンテンツの内容に対応したコンテンツ情報が記録されており、前記コンテンツ表示装置は、前記コンテンツ情報の内容に基づいて、前記複数のサーバの記録媒体に記録されたコンテンツの中に同一コンテンツが存在するか否かを判断する同一コンテンツ判断手段をさらに備え、前記受信手段は、前記コンテンツに加えて、前記コンテンツ情報を前記複数のサーバから受信し、前記制御手段は、前記複数のサーバの記録媒体に記録されたコンテンツの一覧画面を前記表示手段に表示するとき、前記受信手段を用いて前記コンテンツ情報を受信し、前記同一コンテンツ判断手段を用いて、前記複数のサーバの記録媒体に記録されたコンテンツの中に同一コンテンツが存在するか否かを判断し、同一コンテンツが存在すると判断した場合、同一コンテンツの中から１つのコンテンツのみをコンテンツ一覧画面に表示するものである。
【０００６】
請求項２の発明は、請求項１に記載のコンテンツ表示装置において、前記コンテンツ情報は、コンテンツの名称、作成日時、データサイズ、及びメタデータを含み、前記同一コンテンツ判断手段は、前記複数のサーバから受信した各コンテンツ情報に含まれるコンテンツの名称、作成日時、データサイズ、及びメタデータを比較することにより、前記複数のサーバの記録媒体に記録されたコンテンツの中に同一コンテンツが存在するか否かを判断するものである。
【発明の効果】
【０００７】
本発明によれば、制御手段は、コンテンツの一覧画面を表示手段に表示するとき、複数のサーバの記録媒体に記録されたコンテンツの中に同一コンテンツが存在するか否かを判断し、同一コンテンツが存在すると判断した場合、同一コンテンツの中から１つのコンテンツのみをコンテンツ一覧画面に表示する。そのため、特許文献１の発明と異なり、複数のサーバから同一コンテンツを受信した場合であっても、受信した同一コンテンツの中から１つのコンテンツのみをコンテンツ一覧画面に確実に表示することができるので、ユーザにとって利用しやすいコンテンツ一覧表示画面を、簡単な処理手順で表示することができる。
【発明を実施するための最良の形態】
【０００８】
以下、本発明の一実施形態に係るネットワークプレーヤ（コンテンツ表示装置）について、図１乃至図３を参照して説明する。図１は、ネットワークプレーヤ３と、複数のコンテンツサーバ２（以下、サーバという）とがネットワーク４を介して接続されたネットワークシステム１の概略を示し、図２は、サーバ２の内部構成を示すブロック図であり、図３は、ネットワークプレーヤ３の内部構成を示すブロック図である。サーバ２には画像や音声等のコンテンツが記録されている。ネットワークプレーヤ３は複数のサーバ２と通信可能であり、複数のサーバ２から各種コンテンツを受信して、画像コンテンツの再生や音声コンテンツの再生を行うことができる。
【０００９】
サーバ２は、図２に示すように、ユーザによって操作され、各部に指示を与えるための操作部２２と、ネットワーク４（図１参照）に接続するためのネットワークインタフェース２３と、画像等のコンテンツが記録されたＨＤＤ（ハードディスクドライブ；請求項における記録媒体）２４と、装置各部を制御するための制御用マイコン２１と、制御用マイコン２１を動作させるためのプログラム等が記録されたメモリ２５とを備える。
【００１０】
ＨＤＤ２４には、コンテンツのデータに加えて、コンテンツの内容に対応したコンテンツ情報がさらに記録されている。コンテンツ情報には、コンテンツの名称、カテゴリ、作成日時、データサイズ、及びメタデータの情報が含まれる。メタデータは、コンテンツの属性情報などを示すデータの総称であり、コンテンツがＴＶ番組の場合、このコンテンツに対応するメタデータには、ＴＶ番組の出演者、番組内容、放送日時、コンテンツの長さ、及びタイトル等の情報が記録されている。なお、メタデータに記録される内容は、コンテンツの種類に応じて任意に設定可能である。
【００１１】
ネットワークプレーヤ３は、図３に示すように、ユーザによって操作され、装置各部を指示するための操作部３２と、ネットワーク４（図１参照）に接続され、サーバ２からコンテンツやコンテンツ情報等を受信するためのネットワークインタフェース（受信手段）３３と、コンテンツ等を表示するためのディスプレイ（表示手段）３４と、音声等を出力するスピーカ３５とを備える。
【００１２】
また、ネットワークプレーヤ３は、コンテンツ等の表示や装置各部の制御を行うための制御用マイコン（制御手段）３１と、制御用マイコン３１を動作させるためのプログラムや、コンテンツ情報や、コンテンツ一覧画面等の情報を記憶するためのメモリ３６とをさらに備える。
【００１３】
制御用マイコン３１は、請求項における同一コンテンツ判断手段として機能する。
【００１４】
次に、ネットワークプレーヤ３がコンテンツ一覧画面をディスプレイ３４に表示する手順について、図４に示すフローチャートを参照して説明する。まず、ネットワークプレーヤ３の制御用マイコン３１は、複数のサーバ２に記録されているコンテンツのコンテンツ情報を受信し（Ｓ１）、受信したコンテンツ情報を、任意の条件、例えば、コンテンツ情報に含まれるコンテンツの作成日時等に基づいてソートする（Ｓ２）。
【００１５】
そして、制御用マイコン３１は、コンテンツ情報の内容に基づいて、同一コンテンツが存在するか否かの判断を行い、この判断の結果、同一コンテンツが存在すると判断した場合、同一コンテンツの中から１つのコンテンツのみを選択するコンテンツフィルタリング処理（Ｓ３）を行い、選択された１つのコンテンツのみをコンテンツ一覧画面に表示する（Ｓ４）。
【００１６】
次に、上記Ｓ３のコンテンツフィルタリング処理の詳細について、図５に示すフローチャートを参照して説明する。まず、ネットワークプレーヤ３の制御用マイコン３１は、受信したコンテンツ情報の内容に基づいて、コンテンツのファイル名が同一のコンテンツを検索する（Ｓ１１）。そして、上記Ｓ１１による検索の結果、ファイル名が同一であったコンテンツの中から、コンテンツの作成日時が同一のものを検索する（Ｓ１２）。
【００１７】
そして、制御用マイコン３１は、上記Ｓ１２による検索の結果、作成日時が同一であったコンテンツの中から、サイズが同一のものを検索し（Ｓ１３）、この検索の結果、サイズが同一であったコンテンツの中から、コンテンツのメタデータに含まれる情報が同一のものを検索する（Ｓ１４）。この検索の結果、メタデータに含まれる情報が同一のコンテンツが検索された場合、これらのコンテンツを同一のコンテンツとみなして、これらのコンテンツの中から１つのコンテンツのみを表示する（Ｓ１５）。
【００１８】
なお、ここでは、上記Ｓ１１〜上記Ｓ１４のすべての検索条件を満たしたコンテンツを同一のコンテンツとみなしたが、これに限られず、任意の検索条件を満たすコンテンツを同一のコンテンツとみなしてもよい。
【００１９】
上述したように、本実施形態に係るネットワークプレーヤ３によれば、制御用マイコン３１は、コンテンツの一覧画面をディスプレイ３４に表示するとき、複数のサーバ２のＨＤＤ２４に記録されたコンテンツの中に同一コンテンツが存在するか否かを判断し、同一コンテンツが存在すると判断した場合、同一コンテンツの中から１つのコンテンツのみをコンテンツ一覧画面に表示する。そのため、特許文献１の発明と異なり、複数のサーバ２から同一コンテンツを受信した場合であっても、受信した同一コンテンツの中から１つのコンテンツのみをコンテンツ一覧画面に確実に表示することができるので、所望のコンテンツを検索しやすく、ユーザにとって利用しやすいコンテンツ一覧表示画面を簡単な処理手順で表示することができる。
【００２０】
なお、本発明は、上記実施形態の構成に限られず、発明の趣旨を変更しない範囲で種々の変形が可能である。例えば、上記の実施形態では、コンテンツ情報をソートした後にコンテンツフィルタリング処理を行ったがこれに限られず、コンテンツ情報を受信した直後にコンテンツフィルタリング処理を行ってもよい。
【図面の簡単な説明】
【００２１】
【図１】本発明の一実施形態に係るネットワークプレーヤと複数のサーバとを含むネットワークシステムの概略図。
【図２】上記サーバの内部構成を示すブロック図。
【図３】上記ネットワークプレーヤの内部構成を示すブロック図。
【図４】上記ネットワークプレーヤのコンテンツ一覧画面表示処理の手順を示すフローチャート。
【図５】上記コンテンツ一覧画面表示処理におけるコンテンツフィルタリング処理の詳細を示すフローチャート。
【符号の説明】
【００２２】
２  コンテンツサーバ（サーバ）
３  ネットワークプレーヤ（コンテンツ表示装置）
４  ネットワーク
２１  制御用マイコン（制御手段）
２４  ＨＤＤ（記録媒体）
３１  制御用マイコン（制御手段、同一コンテンツ判断手段）
３３  ネットワークインタフェース（受信手段）
３４  ディスプレイ（表示手段）
【図１】
2009017407.tif 000003
【図２】
2009017407.tif 000004
【図３】
2009017407.tif 000005
【図４】
2009017407.tif 000006
【図５】
2009017407.tif 000007